(57)【要約】【課題】不測の外力が生じ、挿口部が受口部に対して管軸方向に脱離する相対移動が起こっても管体の接合部から流体の漏出を防止する管継手を提供する。【解決手段】押輪は、前記１３挿口部２３の外周面２３ａに対向する内周面を有し、パッキン１は、押込み部１ａに連続して管軸方向に先頭シール部１ｂと反対側に延設され、押輪１３の内周面と挿口部２３の外周面２３ａとの間に位置する延設部１ｆと、延設部１ｆに形成され、押輪１３の内周面と挿口部２３の外周面２３ａとの間を密封する後方シール部７と、押込み部１ａの外周面１ｄに、押込み部１ａの内方に向かって切込まれたリップ部Ｒと、を周方向に沿って有している。【選択図】図３
2008196609.tif 000002
【特許請求の範囲】
【請求項１】
一方の管体を構成する挿口部と、
該挿口部に遊挿され、内周面には、端面側から内方に向かって縮径する傾斜面と、該傾斜面に連続して更に内方に向かって形成される管軸に対して略平行の平行面と、を有している他方の管体を構成する受口部と、
リング状に形成される弾性材から成り、前記受口部の内周面と前記挿口部の外周面の間に配置され、前記傾斜面と前記挿口部の外周面との間に位置する押込み部と、該押込み部に連続して形成され、前記平行面と前記挿口部の外周面との間を密封するための先頭シール部と、を有するパッキンと、
前記挿口部の外周面に沿って外嵌されるとともに、パッキンを押圧する押輪と、
前記受口部と前記押輪と前記パッキンとの管軸方向の相対移動が規制されるように、前記受口部と前記押輪とを連係して取付けられた取付部材と、を備えた管継手において、
前記押輪は、前記挿口部の外周面に対向する内周面を有し、
前記パッキンは、
前記押込み部に連続して管軸方向に前記先頭シール部と反対側に延設され、前記押輪の内周面と前記挿口部の外周面との間に位置する延設部と、
該延設部に形成され、前記押輪の内周面と前記挿口部の外周面との間を密封する後方シール部と、
前記押込み部の外周面に形成され、前記先頭シール部側に向かって肉厚が漸減するリップ部と、を周方向に沿って有していることを特徴とする管継手。
【請求項２】
前記リップ部は、前記受口部の端面近傍における前記押込み部の外周面に１条形成されていることを特徴とする請求項１に記載の管継手。
【請求項３】
前記リップ部は、押込み部の外周面に複数条形成されていることを特徴とする請求項１に記載の管継手。
【発明の詳細な説明】
【技術分野】
【０００１】
本発明は、一方の管体を構成する挿口部と、挿口部に遊挿され、内周面には、端面側から内方に向かって縮径する傾斜面と、傾斜面に連続して更に内方に向かって形成される管軸に対して略平行の平行面と、を有している他方の管体を構成する受口部と、リング状に形成される弾性材から成り、受口部の内周面と挿口部の外周面の間に配置され、傾斜面と挿口部の外周面との間に位置する押込み部と、押込み部に連続して形成され、平行面と挿口部の外周面との間を密封するための先頭シール部と、を有するパッキンと、挿口部の外周面に沿って外嵌されるとともに、パッキンを押圧する押輪と、受口部と押輪とパッキンとの管軸方向の相対移動が規制されるように、受口部と押輪とを連係して取付けられた取付部材と、を備えた管継手に関する。
【背景技術】
【０００２】
押輪により２つの管体を締結した配管の接合部から配管に流れる流体の漏出を防止する手段として、従来図８に示されるようなパッキン１０１が使用されていた（例えば、特許文献１参照）。以下、図８に例示されるパッキン１０１について説明する。すなわち、図８（ａ）において、一方の管体１０２の受口部１０３の内方は、他方の管体１２２の挿口部１２３が遊挿されている。
【０００３】
管体１０２の受口部１０３の端部の内方には、受口部１０３の開口端から内方に向かって縮径する内周面である傾斜面１０３ｂが周方向に沿って形成されている。またこの傾斜面１０３ｂに連続して更に内方に向かうともに、管軸に対して略平行である平行面１０３ｄが周方向に沿って形成されており、この平行面１０３ｄ内方側の端部には、管軸方向を向く奥端面１０３ｆが周方向に沿って形成されている。
【０００４】
パッキン１０１はリング状に形成され、ゴム等の弾性材から成り、このパッキン１０１は傾斜面１０３ｂと略平行な外周面を有している押込み部１０１ａが周方向に沿って形成されている。またこの押込み部１０１ａの紙面右側には、押込み部１０１ａと連続するとともに、周方向に沿って膨出される先頭シール部１０１ｂが形成されている。そして、この押込み部１０１ａの紙面左側の端部に押輪１１３側の端部に形成された押圧面１１３ｃが押圧する被押圧面１０１ｃが形成されている。
【０００５】
そこで、これら管体１０２、１２２を接続されるに際し、先ず、押輪１１３とパッキン１０１を順に挿口部１２３に外嵌した状態で、挿口部１２３を受口部１０３内に挿入し、次いで、受口部１０３に形成されたフランジ部１０３ｇと押輪１１３のフランジ部１１３ｂに形成された夫々の取付孔１０３ｈ、１１３ｄにＴ頭ボルト１１１を挿通し、ナット１１２を螺挿して均等に閉め込んでいくと、図８（ｂ）に示されるように、パッキン１０１の被押圧面１０１ｃは押輪１１３の押圧面１１３ｃにより図示白抜矢印方向に押圧される。そして、パッキン１０１の先頭シール部１０１ｂが受口部１０３の平行面１０３ｄと挿口部１２３の外周面とが当接することで弾性変形し、先頭シール部１０１ｂの先端部が奥端面１０３ｆと当接するまで押し込まれる。その結果、受口部１０３の平行面１０３ｄと挿口部１２３の外周面との間が密封され、両管体１０２、１２２を流れる流体の漏出防止が成される。
【０００６】
【特許文献１】特開平２００３−１６１３９３号公報（第６頁、第４図）
【発明の開示】
【発明が解決しようとする課題】
【０００７】
しかしながら、従来の流体漏出防止用のパッキン１０１を備えた管継手では、例えば地震等による不測の外力が生じ、挿口部１２３が受口部１０３に対して管軸方向に脱離する相対移動が起こった際には、パッキン１０１の先頭シール部１０１ｂが、挿口部１２３の外周面と受口部１０３の内周面と離間し、受口部１０３の平行面１０３ｄと挿口部１２３の外周面との間の密封性が維持されない状態になり、両管体１０２、１２２を流れる流体が、押込み部１０１ａの外周面と受口部１０３の傾斜面１０３ｂとの間、若しくは押込み部１０１ａの内周面と挿口部１２３の外周面との間を通過して、両管体１０２、１２２の外部に漏出するといった問題があった。
【０００８】
本発明は、このような問題点に着目してなされたもので、不測の外力が生じ、挿口部が受口部に対して管軸方向に脱離する相対移動が起こっても管体の接合部から流体の漏出を防止する管継手を提供することを目的とする。
【課題を解決するための手段】
【０００９】
上記課題を解決するために、本発明の請求項１に記載の管継手は、
一方の管体を構成する挿口部と、
該挿口部に遊挿され、内周面には、端面側から内方に向かって縮径する傾斜面と、該傾斜面に連続して更に内方に向かって形成される管軸に対して略平行の平行面と、を有している他方の管体を構成する受口部と、
リング状に形成される弾性材から成り、前記受口部の内周面と前記挿口部の外周面の間に配置され、前記傾斜面と前記挿口部の外周面との間に位置する押込み部と、該押込み部に連続して形成され、前記平行面と前記挿口部の外周面との間を密封するための先頭シール部と、を有するパッキンと、
前記挿口部の外周面に沿って外嵌されるとともに、パッキンを押圧する押輪と、
前記受口部と前記押輪と前記パッキンとの管軸方向の相対移動が規制されるように、前記受口部と前記押輪とを連係して取付けられた取付部材と、を備えた管継手において、
前記押輪は、前記挿口部の外周面に対向する内周面を有し、
前記パッキンは、
前記押込み部に連続して管軸方向に前記先頭シール部と反対側に延設され、前記押輪の内周面と前記挿口部の外周面との間に位置する延設部と、
該延設部に形成され、前記押輪の内周面と前記挿口部の外周面との間を密封する後方シール部と、
前記押込み部の外周面に形成され、前記先頭シール部側に向かって肉厚が漸減するリップ部と、を周方向に沿って有していることを特徴としている。
この特徴によれば、先頭シール部に加えて、リップ部と後方シール部が形成されているため、例えば地震等による不測の外力が生じて、挿口部が受口部に対して脱離する管軸方向に所定長さの相対移動が起こり、先頭シール部により受口部の平行面と挿口部の外周面との間の密封性が維持されない状態になっても、受口部の平行面と押込み部の外周面との間に流れ込む管体の流体によりリップ部が、流体の漏出しようとする方向に受口部の傾斜面に押し当てられ、押込み部の外周面と受口部の傾斜面との間の密封が維持される。また押輪の内周面と挿口部の外周面との間を密封している後方シール部により、依然として押輪の内周面と挿口部の外周面との間の密封が維持されており、結果的に管体を流れる流体の漏出を防止できる。また、受口部と挿口部との極端な相対移動が起こっても、後方シール部がシールされている限り、管体の密封が維持可能である。
【００１０】
本発明の請求項２に記載の管継手は、請求項１に記載の管継手であって、
前記リップ部は、前記受口部の端面近傍における前記押込み部の外周面に１条形成されていることを特徴としている。
この特徴によれば、パッキン装着の際に、先頭シール部により受口部の平行面と挿口部の外周面との間を密封するまで、リップ部が受口部の傾斜面と当接しないため、パッキンを容易に装着できる。
【００１１】
本発明の請求項３に記載の管継手は、請求項１に記載の管継手であって、
前記リップ部は、押込み部の外周面に複数条形成されていることを特徴としている。
この特徴によれば、不測の外力が生じても、リップ部が管軸方向に複数条形成されていることで管体の密封性が向上できる。
【発明を実施するための最良の形態】
【００１２】
本発明の実施例を以下に説明する。
【実施例】
【００１３】
本発明の実施例を図面に基づいて説明すると、先ず図１は、本発明の実施例における管継手の全体像を示す分解斜視図である。図２（ａ）は、パッキン取付け前の管継手を示す一部断面図、（ｂ）は、パッキン取付け後の管継手を示す一部断面図である。図３は、挿口部が受口部に対して管軸方向に脱離する相対移動が起こった時の管継手を示す一部断面図である。図４（ａ）は、変形例１の管継手におけるパッキン取付け前の管継手を示す一部断面図、（ｂ）は、パッキン取付け中間段階の管継手を示す一部断面図、（ｃ）は、パッキン取付け後の管継手を示す一部断面図である。図５は、挿口部が受口部に対して管軸方向に脱離する相対移動が起こった時の管継手を示す一部断面図である。図６は、変形例２における管継手のパッキンを示す一部断面図である。図７は、変形例３における管継手のパッキンを示す一部断面図である。
【００１４】
図１、２に示されるように、一方の管体の端部に他方の管体を挿入して、水密、若しくは気密にシールする管継手の構造は、従来の構成と略同一構成となっている。具体的には、パッキン１と押輪１３と、が挿口部２３の外周面２３ａに外嵌された状態で他方の管体２２の対向端部である挿口部２３が遊挿される。すなわち、挿口部２３の外周面２３ａと受口部３の内周面との間に所定の間隙を形成して挿入される。そして、パッキン１が、受口部３の内周面と、挿口部２３の外周面２３ａと、の間に押輪１３により押込まれ、両管体２、２２を気密もしくは水密にシールする。
【００１５】
また受口部３のフランジ部３ｇに所定間隔おきに周方向に複数の取付孔３ｈが形成されており、ナット１２側の端部に周方向に沿って形成された押輪１３のフランジ部１３ｂには、この受口部３のフランジ部３ｇの取付孔３ｈと同軸となるよう、フランジ部３ｇに対向して設けた押輪１３のフランジ部１３ｂに複数形成された取付孔１３ｄが所定間隔おきに周方向に設けられている。
【００１６】
そして、受口部３のフランジ部３ｇの取付孔３ｈと押輪１３のフランジ部１３ｂの取付孔１３ｄを取付部材としてのＴ頭ボルト１１とナット１２が取付孔３ｈ、１３ｄの個数に対応して取付けられることで、パッキン１と受口部３と押輪１３の相対移動が規制される。尚、図１ではＴ頭ボルト１１とナット１２は１組のみ示し、その他は省略している。
【００１７】
具体的な管継手の構成は、図２（ａ）に示されるように、管体２の受口部３の端部の内方には、受口部３の端面３ａから内方に向かって縮径する内周面である傾斜面３ｂが周方向に沿って形成されている。また傾斜面３ｂに連続して更に受口部３の内方に向かうとともに、管軸に対して略平行である平行面３ｄが周方向に沿って形成されている。更に、平行面３ｄより更に内方側の端部には、受口部３の外方を向く奥端面３ｆが周方向に沿って形成される。そして、後述のように、受口部３の内周面、すなわち傾斜面３ｂ及び平行面３ｄと、挿口部２３の外周面２３ａとの間にパッキン１が嵌入される。
【００１８】
本実施例における管継手のパッキン１は、リング状に形成されるゴム等の弾性材から形成されており、このパッキン１には、傾斜面３ｂと略平行に形成された外周面１ｄを有している押込み部１ａが周方向に沿って形成されている。またこの押込み部１ａの図２（ａ）紙面右方には、押込み部１ａと連続するとともに、周方向に沿って自然状態において膨出する先頭シール部１ｂが形成されている。
【００１９】
更に、この押込み部１ａの外周面１ｄには、押込み部１ａの内方に向かって切込まれることにより周方向に沿って間隙Ｓが形成されており、この切込みにより、先頭シール部１ｂ側に向かって漸減する、すなわち肉厚が徐々に薄くなるリップ部Ｒが周方向に沿って形成されている。間隙Ｓは押込み部１ａの切込みにより形成されたリップ部Ｒの内周面Ｔと、この切込みにより内周面Ｔに対向する外周面Ｕとの間で形成されている。本実施例においては、間隙Ｓが形成されるよう、押込み部１ａが内方に向かって切込まれるように、リップ部Ｒが形成されているが、これに限らず、押込み部１ａの外周面１ｄに先頭シール部１ｂ側に向かってリップ部Ｒが突設するように形成されてもよい。
【００２０】
図２（ａ）において、押込み部１ａの紙面左方には、押込み部１ａに連続して管軸方向に先頭シール部１ｂと反対側に延設され、押輪１３の内周面と挿口部２３の外周面２３ａとの間に位置する延設部１ｆが周方向に沿って形成されている。またこの延設部１ｆにおける図２（ａ）紙面左側の端部には、延設部１ｆの外周面１ｄに、延設部１ｆの外周面１ｄに対向する押輪１３の内周面に向かって膨出するとともに、延設部１ｆの内周面１ｅに対向する挿口部２３の外周面２３ａに向かって膨出した後方シール部７が周方向に沿って形成されている。
【００２１】
尚、押込み部１ａの外周面１ｄ及び延設部１ｆの外周面１ｄは、パッキン１全体としての外周面１ｄであることを示し、押込み部１ａの内周面１ｅと及び延設部１ｆの内周面１ｅは、パッキン１全体としての内周面１ｅであることを示す。
【００２２】
押輪１３は、図２（ａ）紙面右側に形成されている環状押圧部１３ａと、前記したフランジ部１３ｂと、から成り、この環状押圧部１３ａには、延設部１ｆの外周面１ｄに対向するように内周面が形成されている。またこの押輪１３の内周面には、受口部３の端面３ａ側から管軸方向の外方に向かって縮径するテーパ面１３ｅが形成されており、このテーパ面１３ｅに連続して更に受口部３側の外方に向かうとともに、管軸に対して略平行である平行面１３ｇが周方向に沿って形成されている。更に、平行面１３ｇより更に受口部３側の外方側の端部には、受口部３の外方を向く奥端面１３ｆが周方向に沿って形成される。そして、後述のように、押輪１３の内周面、すなわちテーパ面１３ｅ及び平行面１３ｇと、挿口部２３の外周面２３ａとの間にパッキン１が嵌入される。
【００２３】
次に管体２、２２の接続について説明すると、先ず、押輪１３とパッキン１を順に挿口部２３にあらかじめ外嵌した状態で、挿口部２３を受口部３内に挿入する。
【００２４】
次いで、受口部３と押輪１３の夫々のフランジ部３ｇ、１３ｂに周方向に複数のＴ頭ボルト１１を挿通し、ナット１２を螺挿して同方向に均等に閉め込んでいくと、図２（ｂ）に示されるように、パッキン１の延設部１ｆの外周面１ｄは、押輪１３のテーパ面１３ｅにより図示白抜矢印方向に向かって押圧され、パッキン１は、受口部３の内方に向かって押込まれる。そして、パッキン１の先頭シール部１ｂが受口部３の傾斜面３ｂと挿口部２３の外周面２３ａに当接することで弾性変形し、更に、パッキン１の先頭シール部１ｂが受口部３の平行面３ｄと挿口部２３の外周面２３ａと当接することで先頭シール部１ｂが平行面３ｄと挿口部２３の外周面２３ａとの間に嵌入され、最終的に先頭シール部１ｂの先端部が奥端面３ｆと当接するまで押し込まれる。この結果、先頭シール部１ｂにより平行面３ｄと挿口部２３の外周面２３ａとの間が密封される。具体的には、受口部３の平行面３ｄと先頭シール部１ｂの外周面との間が密封されるとともに、挿口部２３の外周面２３ａと先頭シール部１ｂの内周面との間が密封される。
【００２５】
一方、パッキン１の押込み部１ａに形成されたリップ部Ｒは、押輪１３により管軸方向に押圧され、受口部３の傾斜面３ｂと挿口部２３の外周面２３ａとの間に嵌入される。この時、リップ部Ｒが閉じた状態であり、押込み部１ａの外周面１ｄが連続している。
【００２６】
尚、リップ部Ｒは、押込み部１ａの内方に向かって切込まれることにより、先頭シール部１ｂ側に向かって肉厚が徐々に薄くなっているため、パッキン１を受口部３の内方に装着する際に、リップ部Ｒに潤滑材を塗布することで、リップ部Ｒの捲れ上がりを防止できる。
【００２７】
更に、この延設部１ｆの紙面左側の端部に形成された後方シール部７は、押輪１３のテーパ面１３ｅにより図示白抜矢印方向に向かって押圧され、パッキン１の後方シール部７が押輪１３のテーパ面１３ｅと挿口部２３の外周面２３ａに当接することで弾性変形し、更に、パッキン１の後方シール部７が押輪１３の平行面１３ｇと挿口部２３の外周面２３ａと当接することで後方シール部７が平行面１３ｇと挿口部２３の外周面２３ａとの間に嵌入され、最終的に後方シール部７の後端部が押輪１３の奥端面１３ｆと当接するようパッキン１が押輪１３により押圧される。この結果先頭シール部１ｂに加えて、後方シール部７により補助的に押輪１３の平行面１３ｇと挿口部２３の外周面２３ａとの間が密封される。
【００２８】
地震等による不測の外力が生じた場合は、図３に示されるように、挿口部２３が管軸方向にすなわち図示白抜矢印方向に脱離する相対移動が起こり、弾性変形していたパッキン１の先頭シール部１ｂが元の自然状態に復元し、受口部３の平行面３ｄに当接していた先頭シール部１ｂが管軸に向かって離間する。この結果、受口部３の平行面３ｄと挿口部２３の外周面２３ａとの間の密封性が維持されない状態になる。
【００２９】
しかし上記に示したように、受口部３の傾斜面３ｂと押込み部１ａの外周面１ｄとの間にリップ部Ｒが形成されているとともに、押輪１３の内周面と挿口部２３の外周面２３ａとの間に後方シール部７が形成されている。ここで受口部３の傾斜面３ｂと押込み部１ａの外周面１ｄとの間において、挿口部２３が、管軸方向にすなわち図示白抜矢印方向に受口部３に対して相対移動が起こった場合、先頭シール部１ｂにより受口部３の平行面３ｄと挿口部２３の外周面２３ａとの間の密封性が維持されない状態になり、管体２、２２内の流体が、先頭シール部１ｂと受口部３の平行面３ｄの間を介して、受口部３の傾斜面３ｂと押込み部１ａの外周面１ｄとの間に流れ込み、最終的に間隙Ｓ内に流入する。そして、間隙Ｓ内に流入した流体により内周面Ｔが傾斜面３ｂに向かって押し当てられ、リップ部Ｒが拡開して受口部３の傾斜面３ｂと当接するため、リップ部Ｒにより、押込み部１ａの外周面１ｄと受口部３の傾斜面３ｂとの間の密封を維持することができる。
【００３０】
従って、上記に示したように先頭シール部１ｂに加えて、リップ部Ｒと後方シール部７が形成されているため、例えば地震等による不測の外力が生じて、挿口部２３が受口部３に対して管軸方向に所定長さ脱離する相対移動が起こり、先頭シール部１ｂにより受口部３の平行面３ｄと挿口部２３の外周面２３ａとの間の密封性が維持されない状態になっても、受口部３の平行面３ｄと押込み部１ａの外周面１ｄとの間に流れ込む管体２、２２の流体によりリップ部Ｒが、流体の漏出しようとする方向に受口部３の傾斜面３ｂに押し当てられ、押込み部１ａの外周面１ｄと受口部３の傾斜面３ｂとの間の密封が維持される。また押輪１３の内周面と挿口部２３の外周面２３ａとの間を密封している後方シール部７により、依然として押輪１３の内周面と挿口部２３の外周面２３ａとの間の密封を維持することができ、結果的に管体２、２２の流体の漏出を防止できる。
【００３１】
特に、図３に示されるように、受口部３の端面３ａと挿口部２３の端面２３ｂとが管軸方向に離間するような極端な相対移動が起こっても、後方シール部７がシールされている限り、管体２、２２の密封が維持可能である。
【００３２】
尚、本実施例において図３に示すような、挿口部２３が受口部３に対して管軸方向に所定長さ脱離する相対移動が起こった場合、間隙Ｓ内に流れ込む流体によりリップ部Ｒが受口部３の傾斜面３ｂに押し当てられ、押込み部１ａの外周面１ｄと受口部３の傾斜面３ｂとの間の密封が維持されるなら、図２（ｂ）に示されるような通常状態において、リップ部Ｒは受口部３の傾斜面３ｂと当接しなくてもよい。
【００３３】
更に尚、本実施例の押輪１３において上記に示したように、押輪１３の内周面には、受口部３の端面３ａ側から管軸方向の外方に向かって縮径するテーパ面１３ｅが形成されている。
【００３４】
このようにすることで、押輪１３の内周面に形成されたテーパ面１３ｅを利用して、パッキン１を受口部３の内方に向かって管軸方向に補助的に押圧することができるばかりか、後方シール部７を挿口部２３の外周面２３ａに向かって管軸と直交する方向に押圧することができる。
【００３５】
また上記実施例では、延設部１ｆの端部に後方シール部７が挿口部２３の外周面２３ａ及び押輪１３の内周面に向かって膨出するように、一体的に後方シール部７が形成されているが、これに限らず、延設部１ｆの外周面１ｄに、延設部１ｆの外周面１ｄに対向する押輪１３の内周面に向かって膨出する後方シール部と、延設部１ｆの内周面１ｅに、延設部１ｆの内周面１ｅに対向する挿口部２３の外周面２３ａに向かって膨出する後方シール部と、が独立して設けられてもよい。
【００３６】
このようにすることで、延設部１ｆの外周面１ｄと延設部１ｆの内周面１ｅと、に夫々後方シール部が形成されていることで、押輪１３の内周面から延設部１ｆに向かう力を延設部１ｆの外周面１ｄに形成された後方シール部が受け、この力が有効に延設部１ｆの内周面１ｅに形成された後方シール部から挿口部２３の外周面２３ａに作用させ、結果的に延設部１ｆの内周面１ｅと挿口部２３の外周面２３ａとの間の密封を維持することができる。
【００３７】
また、上記に限らずパッキン１の延設部１ｆの外周面１ｄに、延設部１ｆの外周面１ｄに対向する押輪１３の内周面に向かって膨出する後方シール部が形成されているのみでもよい。また特に図示はしないが、パッキン１の延設部１ｆの内周面１ｅに、延設部１ｆの内周面１ｅに対向する挿口部２３の外周面２３ａに向かって膨出する後方シール部が形成されているのみでもよい。
【００３８】
このようにすることで、例えば地震等による不測の外力が生じて、挿口部２３が受口部３に対して管軸方向に所定長さ脱離する相対移動が起こっても、先頭シール部１ｂに加えて、延設部１ｆの内周面１ｅと挿口部２３の外周面２３ａの間を密封している後方シール部が依然として、延設部１ｆの内周面１ｅと挿口部２３の外周面２３ａとの間の密封を維持することができる。
【００３９】
以上、本発明の実施例を図面により説明してきたが、具体的な構成はこれら実施例に限られるものではなく、本発明の要旨を逸脱しない範囲における変更や追加があっても本発明に含まれる。以下に、本発明の実施例における変形例の管継手に係り、図４ないし図７を参照して説明する。尚、前記実施例に示される構成部分と同一構成部分に付いては同一符号を付して重複する説明を省略する。
【００４０】
変形例１として図４（ａ）に示されるように、パッキン１のリップ部Ｒは、受口部３の端面３ａ近傍における押込み部１ａの外周面１ｄに１条周方向に沿って形成されている。そして、このパッキン１を受口部３と押輪１３の夫々のフランジ部３ｇ、１３ｂに周方向に複数のＴ頭ボルト１１を挿通し、ナット１２を螺挿して同方向に均等に閉め込んでいくと、図４（ｂ）に示されるように、パッキン１の延設部１ｆの外周面１ｄは、押輪１３のテーパ面１３ｅにより図示白抜矢印方向に向かって押圧され、パッキン１は、受口部３の内方に向かって押込まれる。そして、パッキン１の先頭シール部１ｂが受口部３の傾斜面３ｂと挿口部２３の外周面２３ａに当接することで弾性変形し、更に、パッキン１の先頭シール部１ｂが受口部３の平行面３ｄと挿口部２３の外周面２３ａと当接することで先頭シール部１ｂが平行面３ｄと挿口部２３の外周面２３ａとの間に嵌入され、最終的に先頭シール部１ｂの先端部が奥端面３ｆと当接するまで押し込まれる。この結果、先頭シール部１ｂにより平行面３ｄと挿口部２３の外周面２３ａとの間が密封される。
【００４１】
一方、この延設部１ｆの紙面左側の端部に形成された後方シール部７は、押輪１３のテーパ面１３ｅにより図示白抜矢印方向に向かって押圧され、パッキン１の後方シール部７が押輪１３のテーパ面１３ｅと挿口部２３の外周面２３ａに当接することで弾性変形し、更に、パッキン１の後方シール部７が押輪１３の平行面１３ｇと挿口部２３の外周面２３ａと当接することで後方シール部７が平行面１３ｇと挿口部２３の外周面２３ａとの間に嵌入され、最終的に後方シール部７の後端部が押輪１３の奥端面１３ｆと当接するようパッキン１が押輪１３により押圧される。この結果、後方シール部７により補助的に押輪１３の平行面１３ｇと挿口部２３の外周面２３ａとの間が密封される。
【００４２】
更に、図４（ｃ）に示されるように、更に図示白抜矢印方向に向かって、延設部１ｆの外周面１ｄが押輪１３のテーパ面１３ｅにより押圧されると、受口部３の傾斜面３ｂと挿口部２３の外周面２３ａとの間に嵌入される。よって、パッキン１のリップ部Ｒが、受口部３の端面３ａ近傍における押込み部１ａの外周面１ｄに１条周方向に沿って形成されていることで、パッキン１の装着の際に、先頭シール部Ｒが受口部３の平行面３ｄと挿口部２３の外周面２３ａとの間を密封するまで、リップ部Ｒが受口部３の傾斜面３ｂと当接しないため、パッキン１を容易に装着できる。
【００４３】
地震等による不測の外力が生じた場合は、図５に示されるように、挿口部２３が管軸方向にすなわち図示白抜矢印方向に受口部３に対して相対移動が起こり、弾性変形していたパッキン１の先頭シール部１ｂが元の自然状態に復元するため、受口部３の平行面３ｄと挿口部２３の外周面２３ａとの間の密封性が維持されない状態になる。
【００４４】
しかし上記に示したように先頭シール部１ｂに加えて、リップ部Ｒと後方シール部７が形成されているため、例えば地震等による不測の外力が生じて、挿口部２３が受口部３に対して管軸方向に所定長さ脱離する相対移動が起こり、先頭シール部１ｂにより受口部３の平行面３ｄと挿口部２３の外周面２３ａとの間の密封性が維持されない状態になっても、受口部３の平行面３ｄと押込み部１ａの外周面１ｄとの間に流れ込む管体２、２２の流体によりリップ部Ｒが、流体の漏出しようとする方向に受口部３の傾斜面３ｂに押し当てられ、押込み部１ａの外周面１ｄと受口部３の傾斜面３ｂとの間の密封が維持される。また押輪１３の内周面と挿口部２３の外周面２３ａとの間を密封している後方シール部７が、依然として、押輪１３の内周面と挿口部２３の外周面２３ａとの間の密封を維持することができ、結果的に管体２、２２を流れる流体の漏出を防止できる。
【００４５】
特に、図５に示されるように、受口部３の端面３ａと挿口部２３の端面２３ｂとが管軸方向に離間するような極端な相対移動が起こっても、後方シール部７がシールされている限り、管体２、２２の密封が維持可能である。
【００４６】
変形例２として、図６に示されるように、押込み部１ａの外周面１ｄにリップ部Ｒａ、Ｒｂ、Ｒｃが断面視鋸歯状に３条形成されてもよく、また特に図示はしないが、押込み部１ａの外周面１ｄに、リップ部が２条若しくは、４条以上形成されてもよい。
【００４７】
このように、不測の外力が生じても、リップ部が管軸方向に複数条形成されていることで、両管体２、２２の密封性が向上できる。
【００４８】
更に変形例２として、図７に示されるように、延設部１ｆの外周面１ｄに後方シール部１７ａ、１７ｂが２条形成されるとともに、延設部１ｆの内周面１ｅに、後方シール部１８ａ、１８ｂが２条形成されてもよい。尚、上記２条は延設部１ｆの外周面１ｄに、延設部１ｆの外周面１ｄに対向する押輪１３の内周面に向かって膨出する後方シール部が２箇所形成されており、延設部１ｆの内周面１ｅに、延設部１ｆの内周面１ｅに対向する挿口部２３の外周面２３ａに向かって膨出する後方シール部が２箇所形成されているという意味である。また特に図示はしないが、延設部１ｆの外周面１ｄと延設部１ｆの内周面１ｅに、夫々後方シール部が３条以上形成されてもよい。更に特に図示はしないが、延設部１ｆの外周面１ｄに後方シール部が複数条形成されているのみでもよく、同様に延設部１ｆの内周面１ｅに後方シール部が複数条形成されているのみでもよい。
【００４９】
このように、不測の外力が生じても、後方シール部が管軸方向に複数条形成されていることで、両管体２、２２の密封性が向上できる。
【図面の簡単な説明】
【００５０】
【図１】本発明の実施例における管継手の全体像を示す分解斜視図である。
【図２】（ａ）は、パッキン取付け前の管継手を示す一部断面図、（ｂ）は、パッキン取付け後の管継手を示す一部断面図である。
【図３】挿口部が受口部に対して管軸方向に脱離する相対移動が起こった時の管継手を示す一部断面図である。
【図４】（ａ）は、変形例１の管継手におけるパッキン取付け前の管継手を示す一部断面図、（ｂ）は、パッキン取付け中間段階の管継手を示す一部断面図、（ｃ）は、パッキン取付け後の管継手を示す一部断面図である。
【図５】挿口部が受口部に対して管軸方向に脱離する相対移動が起こった時の管継手を示す一部断面図である。
【図６】変形例２における管継手のパッキンを示す一部断面図である。
【図７】変形例３における管継手のパッキンを示す一部断面図である。
【図８】（ａ）は、パッキン取付け前の従来例の管継手を示す一部断面図である。（ｂ）は、パッキン取付け後の従来例の管継手を示す一部断面図である。
【符号の説明】
【００５１】
１                パッキン
１ａ              押込み部
１ｂ              先頭シール部
１ｄ              外周面
１ｅ              内周面
１ｆ              延設部
２                管体
３                受口部
３ａ              端面
３ｂ              傾斜面
３ｄ              平行面
３ｆ              奥端面
３ｇ              フランジ部
３ｈ              取付孔
７                後方シール部
１１              Ｔ頭ボルト（取付部材）
１２              ナット（取付部材）
１３              押輪
１３ａ            環状押圧部
１３ｂ            フランジ部
１３ｄ            取付孔
１３ｅ            テーパ面（押輪の内周面）
１３ｆ            奥端面
１３ｇ            平行面（押輪の内周面）
１７ａ            後方シール部
１７ｂ            後方シール部
１８ａ            後方シール部
１８ｂ            後方シール部
２２              管体
２３              挿口部
２３ａ            外周面
２３ｂ            端面
Ｒ                リップ部
Ｒａ              リップ部
Ｒｂ              リップ部
Ｒｃ              リップ部
Ｓ                間隙
Ｔ                内周面
Ｕ                外周面
【図１】
2008196609.tif 000003
【図２】
2008196609.tif 000004
【図３】
2008196609.tif 000005
【図４】
2008196609.tif 000006
【図５】
2008196609.tif 000007
【図６】
2008196609.tif 000008
【図７】
2008196609.tif 000009
【図８】
2008196609.tif 000010